(57)【要約】【課題】紛失・盗難によるカードの不正利用によって部外者がセキュリティエリアに無断で入場する可能性を排除し、また、セキュリティエリアへの入場を試行する入場試行者の認証にかかる負担を軽減する。【解決手段】入室希望者３００がインターホン子機装置１からインターホン親機装置２を介して居住者２００を呼び出し、居住者２００が入室を許可するか否かを判断し、入場を許可する場合には、インターホン子機装置１に取り付けられたカメラが入室希望者３００の顔部分を撮影して顔画像情報を取得し、有効期限とともに照合用顔画像情報としてデータ保管装置３に格納し、入退室認証装置４が電気錠５を開錠する。入室希望者３００が再度入室を希望する場合は、入退室認証装置４が、データ保管装置３に格納されている照合用顔画像情報を用いた顔認証を行い、顔認証が成功した場合に電気錠５を開錠する。【選択図】図２
2009110068.tif 000002
【特許請求の範囲】
【請求項１】
セキュリティエリアへの入場を制限するセキュリティゲート装置の外側に配置され、前記セキュリティエリアへの入場を試行する入場試行者が前記セキュリティエリア内の管理者を呼び出し前記管理者と通話を行うために用いられるインターホン子機装置と、
前記セキュリティエリア内に配置され、前記インターホン子機装置に接続され、前記管理者が前記インターホン子機装置を介して前記入場試行者と通話を行うために用いられ、前記管理者が前記入場試行者の入場を許可する場合に入場許可信号を送信するインターホン親機装置と、
前記セキュリティゲート装置の外側に配置され、前記インターホン親機装置に接続され、前記インターホン親機装置から前記入場許可信号を受信した際に、前記入場試行者の照合用生体情報を取得する生体情報取得装置と、
前記生体情報取得装置により取得された照合用生体情報を記憶する生体情報記憶装置と、
前記セキュリティゲート装置の外側に配置され、前記生体情報記憶装置に接続され、いずれかの入場試行者が前記セキュリティエリアへの入場を試行する場合に、当該入場試行者の生体情報を取得し、取得した生体情報と前記生体情報記憶装置に記憶されている照合用生体情報とを照合して認証を行い、認証が成功した場合に前記セキュリティゲート装置を開錠する認証装置とを有することを特徴とする入場管理システム。
【請求項２】
前記生体情報取得装置は、
前記入場許可信号を受信した際に、前記入場試行者の顔を撮影し、前記入場試行者の照合用生体情報として、前記入場試行者の顔画像情報を取得し、
前記生体情報記憶部は、
前記入場試行者の照合用生体情報として、前記入場試行者の顔画像情報に基づく照合用顔画像情報を記憶し、
前記認証装置は、
いずれかの入場試行者が前記セキュリティエリアへの入場を試行する際に、当該入場試行者の顔を撮影し、撮影した当該入場試行者の顔画像情報と、前記生体情報記憶部に記憶されている照合用顔画像情報とを照合して認証を行うことを特徴とする請求項１に記載の入場管理システム。
【請求項３】
セキュリティエリアへの入場を制限するセキュリティゲート装置の外側に配置され、前記セキュリティエリアへの入場を試行する入場試行者が前記セキュリティエリア内の管理者を呼び出し前記管理者と通話を行うために用いられるインターホン子機装置と、
前記セキュリティエリア内に配置され、前記インターホン子機装置に接続され、前記管理者が前記インターホン子機装置を介して前記入場試行者と通話を行うために用いられ、前記管理者が前記入場試行者の入場を許可する場合に入場許可信号を送信するインターホン親機装置と、
前記セキュリティゲート装置の外側に配置され、前記インターホン親機装置に接続され、前記インターホン親機装置から前記入場許可信号を受信した際に、前記入場試行者が携行している携行記憶媒体から照合用識別情報を取得する識別情報取得装置と、
前記識別情報取得装置により取得された照合用識別情報を記憶する識別情報記憶装置と、
前記セキュリティゲート装置の外側に配置され、前記識別情報記憶装置に接続され、いずれかの入場試行者が前記セキュリティエリアへの入場を試行する場合に、当該入場試行者が携行している携行記憶媒体から所定の識別情報を取得し、取得した識別情報と前記識別情報記憶装置に記憶されている照合用識別情報とを照合して認証を行い、認証が成功した場合に前記セキュリティゲート装置を開錠する認証装置とを有することを特徴とする入場管理システム。
【請求項４】
前記セキュリティゲート装置は、
所定のゲート開錠用ＩＣカードを用いて開錠させることができ、
前記識別情報取得装置は、
前記ゲート開錠用ＩＣカード以外の携行記憶媒体から照合用識別情報を取得し、
前記認証装置は、
いずれかの入場試行者が前記セキュリティエリアへの入場を試行する際に、前記ゲート開錠用ＩＣカード以外の携行記憶媒体から識別情報を取得し、取得した識別情報と前記識別情報記憶部に記憶されている照合用識別情報とを照合して認証を行うことを特徴とする請求項３に記載の入場管理システム。
【請求項５】
前記入場管理システムは、更に、
前記認証装置による認証の有効期限を設定する期限設定部を有し、
前記認証装置は、
前記保持期限設定部により設定された有効期限が経過した後は前記セキュリティゲート装置の開錠を行わないことを特徴とする請求項１〜４のいずれかに記載の入場管理システム。
【請求項６】
前記インターホン子機装置は、
前記入場試行者の顔を撮影し、前記入場者の顔画像情報を前記インターホン親機装置に送信し、
前記インターホン親機装置は、
前記インターホン子機装置から前記入場者の顔画像情報を受信し、受信した前記入場者の顔画像情報を所定の表示ディスプレイ装置に表示することを特徴とする請求項１〜５のいずれかに記載の入場管理システム。
【発明の詳細な説明】
【技術分野】
【０００１】
本発明は、例えば、オフィスビル、マンション、病院などのエントランス等において入場管理を行うシステムに関する。
【背景技術】
【０００２】
オフィスビルやマンション、病院などのセキュリティ向上のため、出入口にゲートを備え、ゲートの通過の際に利用者にＩＣ（Ｉｎｔｅｇｒａｔｅｄ  Ｃｉｒｃｕｉｔ）カード等のＩＤ装置をＩＤ制御装置に照合させ、ＩＤ装置を与えられた利用者のみ内部への入場を許すセキュリティシステムがある。
ゲートは、通行レーン式のフラッパーゲートや電気錠を備えた扉、自動扉であり、ＩＤ装置のＩＤ情報を読み取り、ＩＤ制御装置に通知する読取機を備える。
【０００３】
また、オフィスビル、マンション、病院などの出入口にゲートとカメラを備え、利用者がゲートを通過する際にカメラが利用者の顔を撮影し、セキュリティシステムにおいて、予め登録している利用者の顔画像情報と撮影した顔画像情報とを照合し、両者が一致した利用者のみ内部への入場を許す技術がある。
【０００４】
更には、両者を組み合わせた技術として、特許文献１に開示の技術がある。
顔画像による認証の場合、顔画像情報が予めシステムに登録されていなければ、セキュリティエリアに入場できない。このため、１回のみ、または１日のみ入場するような臨時外来者（例えば、運送業者）でも事前に顔画像情報をシステムに登録する必要がある。
このような煩雑さを避けるため、特許文献１に開示の技術では、出入口の近傍にカードリーダ及び利用者の顔部分を撮影するカメラ設け、顔画像情報が登録されていない者については、その者がカードリーダを操作し、これが認証されると通行制御手段が出入口のゲートの電気錠を解錠するとともに、カメラがその者の顔部分を撮影して顔画像情報が登録され、２回目以降は、利用者が出入口に近づくと、カメラが利用者の顔部分を撮影し、顔認証手段により利用者を認証し、利用者のカード操作がなくても、顔画像の認証だけで出入口のゲートの電気錠が解錠される。
【特許文献１】特開２００５−３０１４８９号公報
【発明の開示】
【発明が解決しようとする課題】
【０００５】
特許文献１の技術では、利用者の顔画像情報が登録される前、つまり初回のカード認証が行なわれる前に、カード認証に用いられるカードを利用者が紛失し部外者がこのカードを取得した場合や部外者が当該カードを盗んだ場合等は、部外者が正当な利用者に成りすましてカード認証を受けてセキュリティエリアに入場することが可能であり、また、２回目以降も顔認証を経てセキュリティエリアに自由に入場することができるという課題がある。
【０００６】
また、特許文献１に記載の技術をオフィスビルに適用した場合に、社員が出張等で他の場所に行く場合（例えば、支社の社員が本社にいく場合）、その場所にて臨時カードを発行してもらい、そのカードにて認証処理を行った後、２回目以降は顔認証にて通行が可能となる。
このため、土日祝日等にカード発行システムが休止していたり、カード発行権限を有する者が不在であるような場合は、臨時カードの発行ができず、出張者は出張先のオフィスに入場できないとの事態を招くという課題がある。
【０００７】
また、同様に、特許文献１に記載の技術をオフィスビルに適用した場合に、社員が自己の所属するオフィスビルに入場するためのカードを忘れてしまった場合は、臨時カードを発行してもらう必要があるが、発行場所が遠隔地である場合は、臨時カードの発行に時間がかかったり、臨時カードが発行できずに、社員がオフィスビルに入場できないとの事態を招くという課題がある。
【０００８】
本発明は、このような課題を解決することを主な目的とし、カードの紛失・盗難による不正利用の可能性を排除し、また、臨時カードの発行手続きを不要にし、セキュリティエリアへの入場を試行する入場試行者の認証にかかる負担を軽減することを主な目的とする。
【課題を解決するための手段】
【０００９】
本発明に係る入場管理システムは、
セキュリティエリアへの入場を制限するセキュリティゲート装置の外側に配置され、前記セキュリティエリアへの入場を試行する入場試行者が前記セキュリティエリア内の管理者を呼び出し前記管理者と通話を行うために用いられるインターホン子機装置と、
前記セキュリティエリア内に配置され、前記インターホン子機装置に接続され、前記管理者が前記インターホン子機装置を介して前記入場試行者と通話を行うために用いられ、前記管理者が前記入場試行者の入場を許可する場合に入場許可信号を送信するインターホン親機装置と、
前記セキュリティゲート装置の外側に配置され、前記インターホン親機装置に接続され、前記インターホン親機装置から前記入場許可信号を受信した際に、前記入場試行者の照合用生体情報を取得する生体情報取得装置と、
前記生体情報取得装置により取得された照合用生体情報を記憶する生体情報記憶装置と、
前記セキュリティゲート装置の外側に配置され、前記生体情報記憶装置に接続され、いずれかの入場試行者が前記セキュリティエリアへの入場を試行する場合に、当該入場試行者の生体情報を取得し、取得した生体情報と前記生体情報記憶装置に記憶されている照合用生体情報とを照合して認証を行い、認証が成功した場合に前記セキュリティゲート装置を開錠する認証装置とを有することを特徴とする。
【発明の効果】
【００１０】
本発明によれば、入場試行者のセキュリティエリアへの入場許否を権限を有する管理者に判断させることができるため、部外者のセキュリティエリアへの無断立ち入りを回避することができ、また、いったん入場を許可された入場試行者は２回目以降は生体認証による入場が可能となるので、入場試行者の認証にかかる負担を軽減することができる。
また、本発明によれば、入場試行者が携行する携行記憶媒体を代替カードとして利用することができるので、出張時や正規のＩＣカードの携行を忘れた場合にも、臨時カードの発行手続きをとる必要がなく、また、いったん入場を許可された入場試行者は２回目以降は携行記憶媒体を用いた認証によって入場が可能となるので、入場試行者の認証にかかる負担を軽減することができる。
【発明を実施するための最良の形態】
【００１１】
実施の形態１．
図１及び図２は、本実施の形態に係る入場管理システム１００の構成例を示す図である。
図１は、入場管理システム１００に含まれる各要素の接続関係を示しており、図２は、入場管理システム１００をマンション等に適用した際の入場管理システム１００に含まれる各要素を配置例を示している。
なお、図２では、説明の簡明化のために、セキュリティエリアに居室が一つだけ存在する例を示しているが、マンションに適用する場合には複数の居室がセキュリティエリアに存在する。
ここで、セキュリティエリアとは、電気錠５で外部からの入場が制限されたエリアであり、例えば、マンション内部又はオフィスビル内部である。
【００１２】
インターホン子機装置１（以下、インターホン子機１又は子機１ともいう）は、セキュリティエリアへの入場を制限する電気錠５（セキュリティゲート装置の例）の外側に配置され、セキュリティエリアへの入場を試行する入室希望者３００（入場試行者の例）がセキュリティエリア内の居住者２００を呼び出し居住者２００と通話を行うために用いられる。
居住者２００は、入室希望者３００のセキュリティエリアへの入場の許否を判断する権限を有する者であり、管理者の例である。
【００１３】
インターホン親機装置２（以下、インターホン親機２又は親機２ともいう）は、セキュリティエリア内に配置され、インターホン子機装置１に接続され、居住者２００がインターホン子機装置１を介して入室希望者３００と通話を行うために用いられる。
また、インターホン親機装置２は、居住者２００が入室希望者３００の入場を許可する場合に入場許可信号を入退室認証装置４に送信する。
【００１４】
図３は、インターホン子機装置１の外観例を示す。
インターホン子機装置１は、例えば、スピーカー１１、マイク１２、呼び出し釦１３、カメラ１４を備える。
スピーカー１１及びマイク１２は、居住者２００と入室希望者３００との会話のための装置であり、呼び出し釦１３は入室希望者３００が押下して居住者２００を呼び出すための釦である。
カメラ１４は、入室希望者３００の顔を撮影する。撮影された顔画像は居住者２００の確認に用いられる。なお、カメラ１４は、後述するように生体情報取得装置の例である。
【００１５】
また、図４は、インターホン親機装置２の外観例を示す。
インターホン親機装置２は、スピーカー２１、マイク２２、開錠釦２３、表示ディスプレイ装置２４を備える。
スピーカー２１及びマイク２２は、居住者２００と入室希望者３００との会話のための装置であり、開錠釦２３は居住者２００が押下することで入場許可信号が入退室認証装置４に送信され、電気錠５が開錠される。
表示ディスプレイ装置２４は、入室希望者３００の顔を表示する。
【００１６】
なお、インターホン親機装置２は、図４に示すような専用装置に限らず、インターホン子機装置１、データ保管装置３、入退室認証装置４と通信可能なパーソナルコンピュータにより実現することも可能である。
この場合は、本実施の形態に係るインターホン親機装置２の機能を実現するプログラムをパーソナルコンピュータが実行する。
【００１７】
入室希望者３００は、呼び出し釦１３を押すことによりインターホン子機装置１からインターホン親機装置２を介して居室内にいる居住者２００を呼び出し、また、この際にカメラ１４が入室希望者３００の顔部分を撮影し、居住者２００が入室希望者３００と会話を行い、また、カメラ１４により撮影された入室希望者３００のカメラ画像を確認して、入室を許可するか否かを判断する。
また、居住者２００が入室希望者３００の入場を許可する場合には、居住者２００が開錠釦２３を押すことで、入場許可信号が入退室認証装置４に送信され、電気錠５が開錠する。また、入場許可信号はインターホン子機装置１にも送信され、入場許可信号を受信したインターホン子機装置１では、カメラ１４が入室希望者３００の顔部分を撮影して顔画像情報を取得する。この顔画像情報は静止画像である。
カメラ１４により撮影された顔画像情報は、後述するように照合用の加工が行なわれた後、入室希望者３００の照合用顔画像情報として利用される。
なお、本実施の形態では、生体情報として顔画像情報を用いる例を説明するため、カメラ１４が生体情報取得装置の例となるが、認証に他の生体情報（指紋情報、静脈情報、声紋情報、虹彩情報等）を用いる場合は、それぞれを取得するのに適した装置が生体情報取得装置となる。
【００１８】
データ保管装置３は、カメラ１４により撮影された入室希望者３００の顔画像情報であって照合用に加工された顔画像情報を照合用顔画像情報として記憶する。
また、データ保管装置３は、登録名と対応付けて照合用顔画像情報を記憶する。
登録名は、入室希望者３００の名前、通称、業者名、カメラ撮影日時等であり、データ保管装置３は、入退室認証装置４から検索対象の登録名の情報を受け取り、受け取った登録名をキーにして照合用顔画像情報を抽出する。
図２では、データ保管装置３がセキュリティエリア内に配置されている例を示しているが、データ保管装置３の場所はセキュリティエリア外（管理センター等）でもよい。
データ保管装置３は、生体情報記憶装置の例である。
【００１９】
入退室認証装置４は、電気錠５の外側に配置され、データ保管装置３に接続され、インターホン親機２から入場許可信号を受信した際に電気錠５を開錠するとともに、入室希望者３００が生体情報による認証を要求した場合に、当該入室希望者３００の生体情報を取得し、取得した生体情報とデータ保管装置３に記憶されている照合用生体情報とを照合して認証を行い、認証が成功した場合に電気錠５を開錠する。
入退室認証装置４は認証装置の例である。
【００２０】
図５は、入退室認証装置４の外観例を示す。
入退室認証装置４は、カメラ５１、認証釦５２及びキーボード５３を備える。
本実施の形態では、生体情報として入場希望者３００の顔画像情報を用いるため、カメラ５１により入室希望者３００の顔を撮影することとしているが、他の種類の生体情報を認証に用いる場合は、入退室認証装置４は、認証に用いられる生体情報の取得に適した装置を備える。
また、入室希望者３００が認証釦５２を押下することにより、入退室認証装置４による認証処理が開始される。
また、キーボード５３は、データ保管装置３から取得する照合用顔画像情報の登録名を入室希望者３００に指定させるための装置である。
【００２１】
電気錠５は、電気錠を備えた自動扉のことであり、セキュリティエリアへの入場を制御する装置であり、セキュリティゲート装置の例である。
本実施の形態では、電気錠５をセキュリティゲート装置の例としているが、電気錠５の代わりに通行レーン式のフラッパーゲートでもよい。
【００２２】
前述したように、居住者２００により入室希望者３００のセキュリティエリアへの入場が許可された場合には、入室希望者３００の顔部分が撮影され、顔画像情報が取得され、取得された顔画像情報に基づく照合用顔画像情報がデータ保管装置３に登録されることになる。
図７は、顔画像情報の取得処理及び顔画像情報の登録処理を実現するための機能ブロック図である。
図７に示す要素は、インターホン子機装置１、インターホン親機装置２のどちらに存在していてもよい。
つまり、インターホン子機装置１がカメラ１４により撮影された顔画像情報を加工し、データ保管装置３に送信して登録処理を行ってもよいし、インターホン親機装置２がインターホン子機装置１から顔画像情報を受信し、受信した顔画像情報を加工し、データ保管装置３に送信して登録処理を行ってもよい。
【００２３】
本実施の形態では、特開平９−２５１５３４号公報又は特開２００５−３０１４８９号公報に開示されている顔画像情報処理技術を利用する例を説明するが、他の顔画像処理技術を用いてもよい。
撮影画像入力部３１は、カメラ１４により撮影された撮影画像を入力する。
撮影画像入力部３１は、インターホン親機２側で顔画像情報の加工を行う場合は、インターホン子機１から撮影画像を受信することになる。
顔部切出し部３２は撮影画像入力部３１により入力された入力画像から、入室希望者３００の顔部分を切出した抽出画像を生成する。
特徴点抽出部３３は、抽出画像から例えば顔部分上での目や鼻の位置などの特徴点情報を生成する。
有効期限設定部３４は、入退室認証装置４による認証の有効期限、すなわち特徴点抽出部３３により生成された特徴点情報の有効期限を設定する。有効期限は、例えば固定値（１日、１週間等）でもよいし、居住者２００が例えばインターホン親機２に接続されているキーボード（不図示）を用いて個別に入力した日時を有効期限として設定してもよい。
登録名入力部３５は、特徴点情報をデータ保管装置３に登録する際の登録名情報を入力する。例えば、居住者２００が例えばインターホン親機２に接続されているキーボード（不図示）を用いて入室希望者３００の名前、通称、業者名、カメラ撮影日時等の登録名を指定し、登録名入力部３５が登録名情報として入力する。
データ登録部３６は、特徴点抽出部３３により生成された特徴点情報を照合用顔画像情報としてデータ保管装置３に送信し、データ保管装置３に登録させる。また、データ登録部３６は、特徴点情報とともに有効期限設定部３４により設定された有効期限及び登録名入力部３５により入力された登録名情報もデータ保管装置３に送信して、有効期限の情報及び登録名情報も登録させる。
【００２４】
図８は、入退室認証装置４の機能ブロックを示す図である。
釦入力部４１は、認証釦５２が押下されたことを通知する釦押下信号を入力する。
キーボード入力部４２は、キーボード５３を用いて入室希望者３００が指定した登録名を示す登録名情報を入力する。
撮影画像入力部４３は、釦押下信号が入力された際に、カメラ５１を起動し、カメラ５１により撮影された撮影画像を入力する。
顔部切出し部４４は撮影画像入力部４３により入力された入力画像から、入室希望者３００の顔部分を切出した抽出画像を生成する。
特徴点抽出部４５は、抽出画像から例えば顔部分上での目や鼻の位置などの特徴点情報を生成する。
照合部４６は、キーボード入力部４２により入力された登録名情報をデータ保管装置３に送信し、データ保管装置３から登録名情報に対応する照合用顔画像情報を受信し、特徴点抽出部４５により生成された特徴点情報と受信した照合用顔画像情報を照合して両者が一致するかどうかを判定する。
開錠指示部４７は、照合部４６により特徴点情報と照合用顔画像情報が一致すると判定され、また有効期限内であると判定された場合、すなわち認証が成功した場合に、電気錠５を開錠する制御信号を電気錠５に出力する。
【００２５】
次に、本実施の形態に係る入場管理システム１００の動作例を図９を参照して説明する。
【００２６】
先ず、入室希望者３００がインターホン子機１の呼び出し釦１３を押下して呼び出し操作を行い、居室内のインターホン親機２を呼び出す（Ｓ９０１）。
インターホン親機２では呼鈴が鳴る。
【００２７】
次に、居室内の居住者２００が呼び出しに応じない場合や居室内の居住者２００が呼び出しに応じたが短時間内に通話を切断した場合（Ｓ９０２で「切断」）は、インターホン親機２とインターホン子機１との接続状態が切断され（Ｓ９０３）、初期状態に処理が戻る。
他方、居室内の居住者２００が呼び出しに応じてインターホン親機２とインターホン子機１が接続状態にある場合（Ｓ９０２で「維持」）は、親機２と子機１との間、すなわち居住者２００と入室希望者３００間で会話がなされる（Ｓ９０４）。この間、居住者２００と入室希望者３００の音声情報が親機２と子機１の間で送受信されるとともに、入室希望者３００の顔画像情報が子機１から親機２に送信される。
居住者２００は、親機２の表示ディスプレイ装置２４に表示される入室希望者３００の顔画像の確認と、入室希望者３００との会話により入室希望者３００の氏名、所属組織等の身元確認を行い、セキュリティエリアへの入場の可否を判断する。
【００２８】
居住者２００が入室希望者３００のセキュリティエリアへの入場を許可する場合（Ｓ９０５で「許可」）は、インターホン親機２の開錠釦２３を押下し、これにより入場許可信号が親機２から入退室認証装置４及びインターホン子機１に送信される。
なお、入退室認証装置４は入場許可信号を受信しても、データ保管装置３から登録処理が完了した旨の登録処理完了通知を受信するまでは電気錠５を開錠しない。
【００２９】
次に、インターホン親機２又はインターホン子機１が照合用顔画像情報の登録処理（Ｓ９０６）を行う。
照合用顔画像情報の登録処理（Ｓ９０６）の詳細は、図１０に示す通りである。
【００３０】
入場許可信号を受信したインターホン子機１では、カメラ１４が入室希望者３００の顔部分を撮影する（Ｓ１００１）。
カメラ１４は入場許可信号の受信前も入室希望者３００の顔部分の撮影を行っているが、入場許可信号の受信後は照合用顔画像情報のための撮影モードとなる。
照合用顔画像情報のための撮影モードとして、例えば、入場許可信号の受信前よりも高い解像度で入室希望者の顔を撮影するようにしてもよい。また、入場許可信号の受信前は白黒撮影を行っていた場合に入場許可信号の受信後はカラー撮影を行うようにしてもよい。また、入場許可信号の受信前後で撮影方法を変化させなくてもよい。
【００３１】
インターホン親機２又はインターホン子機１の撮影画像入力部３１が、カメラ１４により撮影された撮影画像を入力し、顔部切出し部３２が撮影画像入力部３１により入力された入力画像から、入室希望者３００の顔部分を切出した抽出画像を生成する（Ｓ１００２）。
インターホン親機２側で顔画像情報の加工を行う場合は、インターホン親機２の撮影画像入力部３１はインターホン子機１から撮影画像を受信することになる。
【００３２】
次に、インターホン親機２又はインターホン子機１の特徴点抽出部３３が、抽出画像から例えば顔部分上での目や鼻の位置などの特徴点を抽出し、特徴点情報を生成する（Ｓ１００３）。
次に、インターホン親機２又はインターホン子機１の有効期限設定部３４は、入退室認証装置４による認証の有効期限、すなわち特徴点抽出部３３により生成された特徴点情報の有効期限を設定する（Ｓ１００４）。
また、このとき、インターホン親機２又はインターホン子機１の登録名入力部３５が、特徴点情報をデータ保管装置３に登録する際の登録名情報を入力する。
【００３３】
次に、インターホン親機２又はインターホン子機１のデータ登録部３６が、特徴点情報、有効期限及び登録名情報をデータ保管装置３に送信して、特徴点情報、有効期限の情報及び登録名情報を登録させる（Ｓ１００５）。
データ保管装置３では、受信した特徴点情報、有効期限の情報及び登録名情報を相互に対応付けて登録し、登録処理が完了した旨の登録処理完了通知を入退室認証装置４に送信する。
データ保管装置３から登録処理完了通知を受信した入退室認証装置４が電気錠５に制御信号を出力して、電気錠５を開錠する（Ｓ１００６）。
【００３４】
以上により特徴点情報等がデータ保管装置３に登録され、電気錠５が開錠した後、登録名の指定が居住者２００により行なわれている場合は、居住者２００から入室希望者３００に登録名がインターホンにより通知され、その後、親機２と子機１の間の接続が切断される（Ｓ９０７）。
以降、入室希望者３００は有効期限内であれば入退室認証装置４における顔認証に成功することにより何回でもセキュリティエリアへの入場が可能となる。
【００３５】
図１１は、入退室認証装置４による顔認証処理における動作例を示すフローチャートである。
先ず、撮影画像入力部４３が、認証釦５２が押下されたか、つまり認証釦５２が押下されたことを通知する釦押下信号が釦入力部４１により入力されたか否かを判断し（Ｓ１１０１）、釦押下信号が入力された場合（Ｓ１１０１でＹＥＳ）は、カメラ５１を起動し、カメラ５１が入室希望者３００の顔部分を撮影する（Ｓ１１０２）。
また、このときキーボード入力部４２が、入室希望者３００がキーボード５３を打鍵して指定した登録名を示す登録名情報を入力する。
【００３６】
次に、顔部切出し部４４が撮影画像入力部４３により入力された入力画像から、入室希望者３００の顔部分を切出した抽出画像を生成する（Ｓ１１０３）。
次に、特徴点抽出部４５が、抽出画像から例えば顔部分上での目や鼻の位置などの特徴点を抽出し、抽出点情報を生成する（Ｓ１１０４）。
次に、照合部４６は、キーボード入力部４２により入力された登録名情報をデータ保管装置３に送信し、データ保管装置３において登録名情報に対応する照合用顔画像情報を検索する（Ｓ１１０５）。
次に、照合部４６は、Ｓ１１０４で生成された抽出点情報と一致する照合用顔画像情報が存在するかを判断する（Ｓ１１０６）。
具体的には、データ保管装置３から登録名情報に対応する照合用顔画像情報（及び有効期限情報）を受信したか否か、照合用顔画像情報を受信した場合は、特徴点情報と受信した照合用顔画像情報を照合して両者が一致するか否かを判定する。
【００３７】
一致するデータがない場合（Ｓ１１０６でＮＯ）、すなわちデータ保管装置３から登録名情報に対応する照合用顔画像情報を受信しなかった場合、または照合用顔画像情報を受信したが、受信した照合用顔画像情報と特徴点情報が一致しなかった場合は、電気錠５を施錠したままで処理を終了する。
【００３８】
他方、一致するデータがあった場合（Ｓ１１０６でＹＥＳ）、すなわちデータ保管装置３から受信した照合用顔画像情報と特徴点情報が一致した場合は、照合部１１０７は現在が有効期限内であるかを照合用顔画像情報とともに受信した有効期限情報により判断し（Ｓ１１０７）、有効期限の範囲内であれば（Ｓ１１０７でＹＥＳ）、電気錠５を開錠する制御信号を出力して電気錠５を開錠する（Ｓ１１０８）。
他方、有効期限の範囲内でない場合（Ｓ１１０７でＮＯ）は、電気錠５を施錠したままで処理を終了する。
【００３９】
このように、入室希望者３００は有効期限内であれば入退室認証装置４における顔認証に成功することにより何回でもセキュリティエリアへの入場が可能となる。
【００４０】
なお、以上では、居住者２００により入場が許可された出入り口（電気錠５）から何回も入場することが可能となる例を説明した。
これに対して、入退室認証装置４での顔認証に成功する限り、居住者２００により入場が許可された出入り口（電気錠５）と異なる出入り口（電気錠５）を通行することができるようにしてもよい。
【００４１】
図１９に例示するように、セキュリティエリアが階層構造になっている建物が存在する。
図１９では、セキュリティエリアＡに入場した後に、セキュリティエリアＢに入場するという階層構造になっている。
このような構造では、セキュリティエリアＡの出入り口にインターホン子機１ａ、入退室認証装置４ａ、電気錠５ａが配置され、セキュリティエリアＢの出入り口にインターホン子機１ｂ、入退室認証装置４ｂ、電気錠５ｂが配置されることになる。
また、セキュリティエリアＡ内にインターホン親機２ａが配置され、セキュリティエリアＢ内にインターホン親機２ｂが配置されることになる。
この場合に、入室希望者は、セキュリティエリアＡのインターホン子機１ａ、インターホン親機２ａ又はインターホン親機２ｂを通じての会話により、セキュリティエリアＡ又はセキュリティエリアＢの居住者によりセキュリティエリアＡへの入場を許可され、照合用顔画像情報がデータ保管装置３に登録される。
そしてデータ保管装置３に照合用顔画像情報が登録された後は、登録されている照合用顔画像情報を用いて入退室認証装置４ａがセキュリティエリアＡへの入場許否を判断し、また、登録されている照合用顔画像情報を用いて入退室認証装置４ｂがセキュリティエリアＢへの入場許否を判断する。
つまり、いったん居住者により入場が許可され、照合用顔画像情報がデータ保管装置３に登録された後は、入室希望者は、セキュリティエリアＡ、Ｂともに顔認証にて何回でも入場が可能となる。
【００４２】
なお、上記では、入退室認証装置４はインターホン子機装置１とは異なる装置としたが、インターホン子機装置１が入退室認証装置４の機能を兼ね備えてもよい。
この場合は、図６に示すように、インターホン子機装置１に認証釦１７を配置し、入室希望者３００は２回目の入場の際（照合用顔画像情報がデータ保管装置３に格納された後）は、呼び出し釦１３の代わりに認証釦１７を押下することにより顔画像情報による認証を開始させるようにしてもよい。
また、インターホン子機装置１が入退室認証装置４の機能を兼ね備える場合は、インターホン子機装置１が図８に示す機能を有することとなる。
【００４３】
また、上記では、データ保管装置３において登録名と対応付けて照合用顔画像情報を記憶し、入退室認証装置４が登録名情報をデータ保管装置３に送信し、データ保管装置３が登録名に一致する照合用顔画像情報を入退室認証装置４に応答することとした。
これに代えて、データ保管装置３では登録名を用いることなく照合用顔画像情報を記憶し、入退室認証装置４はデータ保管装置３から照合用顔画像情報を一つずつ又は所定の単位ごとに受信して、カメラで撮影された顔画像情報の特徴点情報と一致する照合用顔画像情報が存在するかを判定するようにしてもよい。
【００４４】
以上、本実施の形態では、インターホン子機にカメラ装置を有する装置において、インターホン子機呼び出しによる親機でのカメラ画像確認による入室希望者の入室許可を親機側にいる人で判断し、入室許可の場合は、その時にカメラ撮影された顔画像を入力データとして記録保存し、以降は同じ出入り口からの入室時又は他部屋への入室時において顔認証装置がこの画像データをもとに顔認証照合を行い顔認証が許可された場合は、入退室が可能であることを説明した。
【００４５】
以上のように、本実施の形態によれば、入室希望者のセキュリティエリアへの入場許否を権限を有する居住者に判断させることができるため、部外者のセキュリティエリアへの無断立ち入りを回避することができ、また、いったん入場を許可された入室希望者は２回目以降は顔認証による入場が可能となるので、入室希望者の認証にかかる負担を軽減することができる。
【００４６】
実施の形態２．
本実施の形態では、ゲート開錠用の正規のＩＣカード（ゲート開錠用ＩＣカード）の代わりに、入室希望者が携行している携行記憶媒体を代替カードとして利用する例について説明する。
【００４７】
図１２は、本実施の形態に係る入場管理システム１００の構成例を説明する図であり、図１に相当する図である。
また、入場管理システム１００の各要素の配置例は、例えば図２に示す例と同様である。
【００４８】
なお、本実施の形態では、入室希望者がオフィスビル等への入場を試行する場合を説明する。このため、入室希望者がインターホン子機１を用いて呼び出す者は、当該オフィスビルで勤務している従業員であり、入室希望者の入室許否を決定する権限のある従業員（以下、権限従業員という）。なお、権限従業員は、システム管理者である必要はなく、また、組織内における役職者である必要もない。権限従業員は、管理者の例である。
【００４９】
図１２において、インターホン子機装置１は、セキュリティエリアへの入場を制限する電気錠５の外側に配置され、セキュリティエリアへの入場を試行する入室希望者３００がセキュリティエリア内の権限従業員を呼び出し、権限従業員と通話を行うために用いられる。
【００５０】
インターホン親機装置２は、セキュリティエリア内に配置され、インターホン子機装置１に接続され、権限従業員がインターホン子機装置１を介して入室希望者３００と通話を行うために用いられる。
また、インターホン親機装置２は、権限従業員が入場試行者の入場を許可する場合に入場許可信号を入退室認証装置４及びインターホン子機１に送信する。
【００５１】
図１３は、インターホン子機装置１の外観例を示す。
スピーカー１１、マイク１２、呼び出し釦１３、カメラ１４は実施の形態１で説明したものと同様である。
図１３では、インターホン子機１にカードリーダ装置１５が接続されている。
カードリーダ装置１５は、インターホン親機装置２から入場許可信号を受信した際に、正規のカードを持たない入室希望者３００の携行記憶媒体から照合用識別情報を読み取る。
携行記憶媒体とは、ゲート開錠用ＩＣカード以外の記憶媒体であり、例えば入室希望者３００が携行する定期券に内蔵されているＩＣカードや、携帯電話機に内蔵されているＩＣカード等である。携行記憶媒体は、ゲート開錠用ＩＣカードを代替する代替カードとして用いられる。
そして、照合用識別情報とは、例えば、こられのＩＣカードに記録されている入室希望者３００の氏名、利用駅名、電話番号、電子メールアドレス、携帯電話機の製造番号等である。
また、本実施の形態では、インターホン子機１にはキーボード１６が設けられている。
このキーボード１６は、入室希望者３００が自身のユーザＩＤ（従業員番号等）を入力するためである。
なお、カードリーダ装置１５は、後述するように識別情報取得装置の例である。
なお、本実施の形態では、カメラ１４は必須ではなく、カメラ１４がなくてもよい。
【００５２】
また、本実施の形態に係るインターホン親機装置２は、図４に示すものと同様である。
また、図４に示すような専用装置に限らず、インターホン子機装置１、データ保管装置３、入退室認証装置４と通信可能なパーソナルコンピュータにより実現することも可能である。
この場合は、本実施の形態に係るインターホン親機装置２の機能を実現するプログラムをパーソナルコンピュータが実行する。
【００５３】
本実施の形態では、データ保管装置３は、識別情報取得装置たるカードリーダ装置１５により取得された照合用識別情報をユーザＩＤ及び有効期限と対応付けて記憶する。
本実施の形態では、データ保管装置３は、識別情報記憶装置の例である。
【００５４】
本実施の形態では、入退室認証装置４は、電気錠５の外側に配置され、データ保管装置３に接続されている。
また、本実施の形態に係る入退室認証装置４は、カードリーダ装置を備え、通常は入室希望者が所持する正規のゲート開錠用ＩＣカードの情報を読み取り、読み取った情報が正しければ、電気錠５を開錠する。
また、正規のゲート開錠用ＩＣカードを所持していない入室希望者３００がセキュリティエリアへの入場を試行する場合に、当該入室希望者３００が携行している携行記憶媒体から所定の識別情報を取得し、取得した識別情報とデータ保管装置３に記憶されている照合用識別情報とを照合して認証を行い、認証が成功した場合に電気錠５を開錠する。
また、入退室認証装置４には、図５に示すような認証釦５２及びキーボード５３が配置されているものとする。本実施の形態では、カメラ５１は必ずも必要ではない。
【００５５】
本実施の形態では、正規のゲート開錠用ＩＣカードを所持する入室希望者３００は、入退室認証装置４のカードリーダ装置にゲート開錠用ＩＣカードをかざす等して、ゲート開錠用ＩＣカードの情報をカードリーダ装置を介して入退室認証装置４に読み取らせて、電気錠５を開錠させる。
一方、出張者や来訪者等の正規のゲート開錠用ＩＣカードを所持しない入室希望者３００は、インターホン子機１を用いてセキュリティエリア内の権限従業員を呼び出し、権限従業員が入場を許可した場合は、インターホン親機２から入場許可信号がインターホン子機１及び入退室認証装置４に送信される。
インターホン子機１では、カードリーダ装置１５により携行記憶媒体から照合用識別情報を読み出し、また、インターホン子機１は、照合用識別情報と、キーボード１６からの入室希望者のユーザＩＤ（従業員番号等）と、入退室認証装置４の有効期限を示す有効期限情報とをデータ保管装置３に送信し、データ保管装置３がこれらを登録する。
そして、データ保管装置３に照合用識別情報等が登録された後は、ゲート開錠用ＩＣカードを所持しない入室希望者３００は、入退室認証装置４のカードリーダ装置に代替カードをかざす等して、代替カードの情報をカードリーダ装置を介して入退室認証装置４に読み取らせるとともに入退室認証装置４のキーボード５３を用いてユーザＩＤを入力する。
入退室認証装置４では、ユーザＩＤをもとにデータ保管装置３から照合用識別情報を受信し、カードリーダ装置から取得した識別情報とデータ保管装置３から受信した照合用識別情報が一致すれば、認証成功として電気錠５を開錠する。
【００５６】
図１４は、本実施の形態に係るインターホン子機１の機能ブロックを示す。
カードデータ入力部３７は、カードリーダ装置１５から代替カードの照合用識別情報を入力する。
ユーザＩＤ入力部３８は、キーボード１６から入室希望者３００のユーザＩＤを入力する。
有効期限設定部３４は、入退室認証装置４による認証の有効期限、すなわち代替カードの照合用識別情報の有効期限を設定する。有効期限は、例えば固定値（１日、１週間等）でもよいし、権限従業員が例えばインターホン親機２に接続されているキーボード（不図示）を用いて個別に入力した日時をインターホン親機２から受信し、受信した日時を有効期限としてもよい。
データ登録部３６は、照合用識別情報、ユーザＩＤ、有効期限情報をデータ保管装置３に送信して、これらの情報を登録させる。
【００５７】
図１５は、入退室認証装置４の機能ブロックを示す図である。
釦入力部４１は、認証釦５２が押下されたことを通知する釦押下信号を入力する。
カードデータ入力部４８は、入退室認証装置４のカードリーダ装置から代替カードの識別情報を入力する。
ユーザＩＤ入力部４９は、入退室認証装置４のキーボード５３から入室希望者３００のユーザＩＤを入力する。
照合部４６は、ユーザＩＤ入力部４９により入力されたユーザＩＤをデータ保管装置３に送信し、データ保管装置３からユーザＩＤに対応する照合用識別情報を受信し、カードリーダ装置により取得された識別情報とデータ保管装置３から受信した照合用識別情報を照合して両者が一致するかどうかを判定する。
開錠指示部４７は、照合部４６により識別情報と照合用識別情報情報が一致すると判定され、また有効期限内であると判定された場合、すなわち認証が成功した場合に、電気錠５を開錠する制御信号を電気錠５に出力する。
【００５８】
次に、本実施の形態に係る入場管理システム１００の動作例を図１６を参照して説明する。
【００５９】
先ず、入室希望者３００がインターホン子機１の呼び出し釦１３を押下して呼び出し操作を行い、オフィスビル内のインターホン親機２を呼び出す（Ｓ１６０１）。
インターホン親機２では呼鈴が鳴る。
【００６０】
次に、ビル内の権限従業員が呼び出しに応じない場合やビル内の権限従業員が呼び出しに応じたが短時間内に通話を切断した場合（Ｓ１６０２で「切断」）は、インターホン親機２とインターホン子機１との接続状態が切断され（Ｓ１６０３）、初期状態に処理が戻る。
他方、ビル内の権限従業員が呼び出しに応じてインターホン親機２とインターホン子機１が接続状態にある場合（Ｓ１６０２で「維持」）は、親機２と子機１との間、すなわち権限従業員と入室希望者３００間で会話がなされる（Ｓ１６０４）。この間、権限従業員と入室希望者３００の音声情報が親機２と子機１の間で送受信されるとともに、入室希望者３００の顔画像情報が子機１から親機２に送信される。
権限従業員は、親機２の表示ディスプレイ装置２４に表示される入室希望者３００の顔画像の確認と、入室希望者３００との会話により入室希望者３００の氏名、所属組織等の身元確認を行い、セキュリティエリアへの入場の可否を判断する。
【００６１】
権限従業員が入室希望者３００のセキュリティエリアへの入場を許可する場合（Ｓ１６０５で「許可」）は、インターホン親機２の開錠釦２３を押下し、これにより入場許可信号が親機２から入退室認証装置４及びインターホン子機１に送信される。
なお、入退室認証装置４は入場許可信号を受信しても、データ保管装置３から登録処理が完了した旨の登録処理完了通知を受信するまでは電気錠５を開錠しない。
【００６２】
入場許可信号を受信したことによってインターホン子機１はカードリーダ装置１５を通じて入室希望者３００の携行記憶媒体から照合用識別情報の読み取りが可能となる（Ｓ１６０６）。
次に、インターホン親機２から入室希望者３００にインターホン子機１のカードリーダ装置１４への携行記憶媒体の読み取りを促し、入室希望者にカードリーダ装置１５に定期券、携帯電話機等の携行記憶媒体をかざさせ、カードリーダ装置１５が携行記憶媒体に格納されている識別情報を照合用識別情報として読み取る（Ｓ１６０７）。
照合用識別情報としては、例えば入室希望者３００の氏名、利用駅名、電話番号、電子メールアドレス、携帯電話機の製造番号等があるが、これらのうちの１つ又は２つ以上が読み取れた場合に、カードリーダ装置１５は読み取りを完了する。
カードリーダ装置１５から読み取られた照合用識別情報は、カードデータ入力部３７によりインターホン子機１内に取り込まれる。
【００６３】
次に、インターホン子機１では、照合用識別情報の登録処理を行う（Ｓ１６０８）。
照合用識別情報の登録処理の詳細は、図１７に示す通りである。
【００６４】
照合用識別情報の登録処理では、先ず、ユーザＩＤ入力部３８が、入室希望者３００がキーボード１６を打鍵して指定したユーザＩＤを入力する（Ｓ１７０１）。
次に、有効期限設定部３４が、入退室認証装置４による認証の有効期限、すなわち照合用識別情報の有効期限を設定する（Ｓ１７０２）。
次に、データ登録部３６が、カードデータ（照合用識別情報）、ユーザＩＤ及び有効期限をデータ保管装置３に送信して、カードデータ（照合用識別情報）、ユーザＩＤ及び有効期限を登録させる（Ｓ１７０３）。
データ保管装置３では、受信したカードデータ（照合用識別情報）、ユーザＩＤ及び有効期限を相互に対応付けて登録し、登録処理が完了した旨の登録処理完了通知を入退室認証装置４に送信する。
データ保管装置３から登録処理完了通知を受信した入退室認証装置４が電気錠５に制御信号を出力して、電気錠５を開錠する（Ｓ１７０４）。
【００６５】
以上により照合用識別情報等がデータ保管装置３に登録され、電気錠５が開錠した後、親機２と子機１の間の接続が切断される（Ｓ９０７）。
以降、入室希望者３００は有効期限内であれば入退室認証装置４における認証に成功することにより何回でもセキュリティエリアへの入場が可能となる。
【００６６】
図１８は、入退室認証装置４による認証処理における動作例を示すフローチャートである。
先ず、カードデータ入力部４８が、認証釦５２が押下されたか、つまり認証釦５２が押下されたことを通知する釦押下信号が釦入力部４１により入力されたか否かを判断し（Ｓ１８０１）、釦押下信号が入力された場合（Ｓ１８０１でＹＥＳ）は、カードリーダ装置を起動し、カードリーダ装置が入室希望者３００の代替カードである携行記憶媒体から識別情報の読み取りを試行する。
カードデータ（識別情報）が読み取れた場合（Ｓ１８０２でＹＥＳ）はＳ１８０３に進み、読み取れなかった場合（Ｓ１８０２でＮＯ）は、カード読み取りを再度試行する。
【００６７】
次に、ユーザＩＤ入力部４９が、入室希望者３００がキーボード５３を打鍵して入力したユーザＩＤを取得した場合（Ｓ１８０３でＹＥＳ）は、Ｓ１８０４に進み、ユーザＩＤを取得していない場合は、ユーザＩＤの入力を待つ。
【００６８】
次に、照合部４６が、ユーザＩＤをデータ保管装置３に送信し、データ保管装置３においてユーザＩＤに対応する照合用識別情報を検索する（Ｓ１８０４）。
次に、照合部４６は、カードリーダ装置で読み取られた識別情報と一致する照合用識別情報が存在するかを判断する（Ｓ１８０５）。
具体的には、データ保管装置３からユーザＩＤに対応する照合用識別情報（及び有効期限情報）を受信したか否か、照合用識別情報を受信した場合は、カードリーダ装置で読み取られた識別情報と受信した照合用識別情報を照合して両者が一致するか否かを判定する。
【００６９】
一致するデータがない場合（Ｓ１８０５でＮＯ）、すなわちデータ保管装置３からユーザＩＤに対応する照合用識別情報を受信しなかった場合、または照合用識別情報を受信したが、受信した照合用識別情報とカードリーダ装置で読み取られた識別情報が一致しなかった場合は、電気錠５を施錠したままで処理を終了する。
【００７０】
他方、一致するデータがあった場合（Ｓ１８０５でＹＥＳ）、すなわちデータ保管装置３から受信した照合用識別情報とカードリーダ装置で読み取られた識別情報が一致した場合は、照合部１１０７は現在が有効期限内であるかを照合用識別情報とともに受信した有効期限情報により判断し（Ｓ１８０６）、有効期限の範囲内であれば（Ｓ１８０６でＹＥＳ）、電気錠５を開錠する制御信号を出力して電気錠５を開錠する。
他方、有効期限の範囲内でない場合（Ｓ１８０６でＮＯ）は、電気錠５を施錠したままで処理を終了する。
【００７１】
このように、入室希望者３００は有効期限内であれば入退室認証装置４における認証に成功することにより何回でもセキュリティエリアへの入場が可能となる。
【００７２】
なお、以上では、権限従業員により入場が許可された出入り口（電気錠５）から入室希望者が何回も入場することが可能となる例を説明した。
これに対して、実施の形態１で説明したように、入退室認証装置４での認証に成功する限り、権限従業員により入場が許可された出入り口（電気錠５）と異なる出入り口（電気錠５）を通行することができるようにしてもよい。
つまり、図１９に示すようにセキュリティエリアが階層構造となっている場合に、入室希望者は、セキュリティエリアＡのインターホン子機１ａ、インターホン親機２ａ又はインターホン親機２ｂを通じての会話により、セキュリティエリアＡ又はセキュリティエリアＢの権限従業員によりセキュリティエリアＡへの入場を許可され、照合用識別情報がデータ保管装置３に登録される。
そしてデータ保管装置３に照合用識別情報が登録された後は、登録されている照合用識別情報を用いて入退室認証装置４ａがセキュリティエリアＡへの入場許否を判断し、また、登録されている照合用識別情報を用いて入退室認証装置４ｂがセキュリティエリアＢへの入場許否を判断する。
つまり、いったん権限従業員により入場が許可され、照合用識別情報がデータ保管装置３に登録された後は、入室希望者は、セキュリティエリアＡ、Ｂともに代替カードを用いた認証にて何回でも入場が可能となる。
【００７３】
また、実施の形態１で説明したように、インターホン子機装置１が入退室認証装置４の機能を兼ね備えてもよい。
【００７４】
以上、本実施の形態では、インターホン子機にカメラ装置を有する装置とカード認証装置（カードリーダ装置）が付属しているシステムにおいて、インターホン子機呼び出しによる親機でのカメラ画像確認による入室希望者の入室許可を親機側にいる人で判断し、入室許可の場合は、認証カードをカードリーダ装置に読み取る操作を促し、操作実施の後に認証カードデータ情報を入力データとして記録保存する。以降は同じ出入り口からの入室時又は他部屋への入室時において認証カードデータをもとにカード認証装置が照合した結果許可された場合は、入退室が可能であることを説明した。
【００７５】
また、本実施の形態では、上記のカードリーダ装置で読み取る認証カードを忘れた場合には、代替カード（携帯電話、定期券等）でも認証カードとして利用でき、この代替カードをもとにカードリーダ装置が照合した結果許可された場合は、入退室が可能であることを説明した。
【００７６】
以上のように、本実施の形態によれば、入室希望者が携行する携行記憶媒体を代替カードとして利用することができるので、出張時や正規のＩＣカードの携行を忘れた場合にも、臨時カードの発行手続きをとる必要がなく、また、いったん入場を許可された入室希望者は２回目以降は代替カードを用いた認証によって入場が可能となるので、入室希望者の認証にかかる負担を軽減することができる。
【００７７】
なお、実施の形態１、２に示したインターホン子機１、インターホン親機２及び入退室認証装置４はコンピュータで実現することもできる。
図２０は、実施の形態１、２に示したインターホン子機１、インターホン親機２及び入退室認証装置４をコンピュータで実現した際のハードウェア資源の一例を示す図である。
なお、図２０の構成は、実施の形態１、２に示したインターホン子機１、インターホン親機２及び入退室認証装置４をコンピュータで実現した際のハードウェア構成の一例を示すものであり、図２０に記載の構成に限らず、他の構成であってもよい。
【００７８】
図２０において、インターホン子機１、インターホン親機２及び入退室認証装置４を実現するコンピュータは、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。
ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーボード９０２、マウス９０３、磁気ディスク装置９２０と接続されていてもよく、これらのハードウェアデバイスを制御する。
更に、ＣＰＵ９１１は、ＦＤＤ９０４（Ｆｌｅｘｉｂｌｅ  Ｄｉｓｋ  Ｄｒｉｖｅ）、コンパクトディスク装置９０５（ＣＤＤ）、プリンタ装置９０６、スキャナ装置９０７と接続していてもよい。また、磁気ディスク装置９２０の代わりに、光ディスク装置、メモリカード（登録商標）読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。
通信ボード９１５、キーボード９０２、マウス９０３、スキャナ装置９０７、ＦＤＤ９０４などは、入力装置の一例である。
また、通信ボード９１５、表示装置９０１、プリンタ装置９０６などは、出力装置の一例である。
【００７９】
通信ボード９１５は、例えば、ＬＡＮ（ローカルエリアネットワーク）、インターネット、ＷＡＮ（ワイドエリアネットワーク）などのネットワークに接続されていても構わない。
【００８０】
磁気ディスク装置９２０には、例えばオペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００８１】
ＲＯＭ９１３には、ＢＩＯＳ（Ｂａｓｉｃ  Ｉｎｐｕｔ  Ｏｕｔｐｕｔ  Ｓｙｓｔｅｍ）プログラムが格納され、磁気ディスク装置９２０にはブートプログラムが格納されている。
コンピュータの起動時には、ＲＯＭ９１３のＢＩＯＳプログラム及び磁気ディスク装置９２０のブートプログラムが実行され、ＢＩＯＳプログラム及びブートプログラムによりオペレーティングシステム９２１が起動される。
【００８２】
上記プログラム群９２３には、実施の形態１、２の説明において「〜部」として説明している機能を実行するプログラムが記憶されている。プログラムは、ＣＰＵ９１１により読み出され実行される。
【００８３】
ファイル群９２４には、実施の形態１、２の説明において、「〜の判断」、「〜の計算」、「〜の比較」、「〜の生成」、「〜の更新」、「〜の設定」、「〜の登録」、「〜の選択」、「〜の認証」、「〜の照合」等として説明している処理の結果を示す情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・印刷・表示などのＣＰＵの動作に用いられる。
抽出・検索・参照・比較・演算・計算・処理・編集・出力・印刷・表示のＣＰＵの動作の間、情報やデータや信号値や変数値やパラメータは、メインメモリ、レジスタ、キャッシュメモリ、バッファメモリ等に一時的に記憶される。
また、実施の形態１、２で説明しているフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ等の記録媒体に記録される。また、データや信号は、バス９１２や信号線やケーブルその他の伝送媒体によりオンライン伝送される。
【００８４】
また、実施の形態１、２の説明において「〜部」として説明しているものは、「〜回路」、「〜装置」、「〜機器」であってもよく、また、「〜ステップ」、「〜手順」、「〜処理」であってもよい。すなわち、「〜部」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、実施の形態１、２の「〜部」としてコンピュータを機能させるものである。あるいは、実施の形態１、２の「〜部」の手順や方法をコンピュータに実行させるものである。
【図面の簡単な説明】
【００８５】
【図１】実施の形態１に係る入場管理システムの構成例を示す図。
【図２】実施の形態１に係る入場管理システムの構成例を示す図。
【図３】実施の形態１に係るインターホン子機装置の外観例を示す図。
【図４】実施の形態１に係るインターホン親機装置の外観例を示す図。
【図５】実施の形態１に係る入退室認証装置の外観例を示す図。
【図６】実施の形態１に係るインターホン子機装置の外観例を示す図。
【図７】実施の形態１に係るインターホン子機装置又はインターホン親機装置の機能ブロック図。
【図８】実施の形態１に係る入退室認証装置の機能ブロック図。
【図９】実施の形態１に係る入場管理システムの動作フローを示すフローチャート図。
【図１０】実施の形態１に係る入場管理システムの動作フローを示すフローチャート図。
【図１１】実施の形態１に係る入場管理システムの動作フローを示すフローチャート図。
【図１２】実施の形態２に係る入場管理システムの構成例を示す図。
【図１３】実施の形態２に係るインターホン子機装置の外観例を示す図。
【図１４】実施の形態２に係るインターホン子機装置の機能ブロック図。
【図１５】実施の形態２に係る入退室認証装置の機能ブロック図。
【図１６】実施の形態２に係る入場管理システムの動作フローを示すフローチャート図。
【図１７】実施の形態２に係る入場管理システムの動作フローを示すフローチャート図。
【図１８】実施の形態２に係る入場管理システムの動作フローを示すフローチャート図。
【図１９】実施の形態１に係る階層構造のセキュリティエリアの例を示す図。
【図２０】実施の形態１、２に係るインターホン子機装置等を実現するコンピュータのハードウェア構成例を示す図。
【符号の説明】
【００８６】
１  インターホン子機装置、２  インターホン親機装置、３  データ保管装置、４  入退室認証装置、５  電気錠、１１  スピーカー、１２  マイク、１３  呼び出し釦、１４  カメラ、１５  カードリーダ装置、１６  キーボード、１７  認証釦、３１  撮影画像入力部、３２  顔部切出し部、３３  特徴点抽出部、３４  有効期限設定部、３５  登録名入力部、３６  データ登録部、３７  カードデータ入力部、３８  ユーザＩＤ入力部、４１  釦入力部、４２  キーボード入力部、４３  撮影画像入力部、４４  顔部切出し部、４５  特徴点抽出部、４６  照合部、４７  開錠指示部、４８  カードデータ入力部、４９  ユーザＩＤ入力部、５１  カメラ、５２  認証釦、５３  キーボード、１００  入場管理システム、２００  居住者、３００  入室希望者。
【図１】
2009110068.tif 000003
【図２】
2009110068.tif 000004
【図３】
2009110068.tif 000005
【図４】
2009110068.tif 000006
【図５】
2009110068.tif 000007
【図６】
2009110068.tif 000008
【図７】
2009110068.tif 000009
【図８】
2009110068.tif 000010
【図９】
2009110068.tif 000011
【図１０】
2009110068.tif 000012
【図１１】
2009110068.tif 000013
【図１２】
2009110068.tif 000014
【図１３】
2009110068.tif 000015
【図１４】
2009110068.tif 000016
【図１５】
2009110068.tif 000017
【図１６】
2009110068.tif 000018
【図１７】
2009110068.tif 000019
【図１８】
2009110068.tif 000020
【図１９】
2009110068.tif 000021
【図２０】
2009110068.tif 000022